(57)【要約】【課題】停電などが続いた場合でも優先度の高い需要家へ電力供給を継続することが可能な電力供給制御装置及び電力供給システムを提供することを目的とする。【解決手段】複数の電力の需要家１６や予め定めた優先需要家１４が存在する地域を複数の地区に分けて、コントロールセンタ１２のサーバコンピュータによって電力供給を制御する。そして、コントロールセンタ１２では、優先需要家１４の電力が低下している場合に、各需要家１６の供給可能電力量に基づいて、優先需要家１４へ電力を融通する需要家１６を決定すると共にその供給量を決定して、優先需要家１４の優先需要家コンピュータや各需要家１６の需要家ＨＥＭＳを制御して電力を融通する。【選択図】図５
2014023377.tif 000002
【特許請求の範囲】
【請求項１】
予め定めた地域に存在する複数の需要家それぞれにおける電力状況及び供給可能電力量を表す電力情報を取得する取得手段と、
前記取得手段によって取得した前記電力情報における前記電力状況に基づいて、前記複数の需要家のうち予め定めた優先度の高い優先需要家への給電量または前記優先需要家に設けられた蓄電池の蓄電量の低下を検出する検出手段と、
前記検出手段によって前記優先需要家への給電量または前記蓄電池の蓄電量の低下が検出された場合に、前記取得手段によって取得された前記電力情報における各需要家の供給可能電力量に応じて、電力を供給する需要家及び給電量を決定し、決定した需要家から前記優先需要家または前記蓄電池への電力融通を制御する制御手段と、
を備えた電力供給制御装置。
【請求項２】
前記取得手段は、各需要家が所有する蓄電池の蓄電量、各需要家が所有する発電装置の発電量、及び各需要家が所有する設備の消費電力量を含む電力状況、並びに当該電力状況に基づいて算出した前記供給可能電力を表す電力情報を取得する請求項１に記載の電力供給制御装置。
【請求項３】
各需要家が所有する蓄電池または前記発電装置は、各需要家が所有する住宅または
車両に設置されている請求項２に記載の電力供給制御装置。
【請求項４】
前記車両と通信するための通信手段を更に備え、
各需要家が所有する車両に需要家が所有する蓄電池が設置されているときには、前記制御手段が、前記優先需要家への給電量または前記蓄電池の蓄電量の低下が検出された場合に、前記通信手段を介して前記優先需要家への移動要求を前記車両へ行うように更に制御する請求項３に記載の電力供給制御装置。
【請求項５】
前記制御手段は、前記通信手段を介して前記車両の位置情報を取得し、取得した位置情報に基づいて前記車両と前記優先需要家または前記蓄電池との距離を求め、求めた距離が予め定めた距離以内の前記車両に対して前記移動要求を行うように制御する請求項４に記載の電力供給制御装置。
【請求項６】
前記制御手段は、前記優先需要家または前記蓄電池の位置情報を前記車両に表示するために、前記通信手段を介して前記位置情報を更に送信する請求項５に記載の電力供給制御装置。
【請求項７】
前記消費電力量は、各需要家の全ての設備のうち、予め定めた停止不可設備の消費電力である請求項２〜６の何れか１項に記載の電力供給制御装置。
【請求項８】
前記設備は、食品を貯蔵する設備であり、貯蔵する食品量を検出する機能を備えて、検出した食品量が予め定めた量以上の場合に前記停止不可設備とされる請求項７に記載の電力供給制御装置。
【請求項９】
請求項１〜８の何れか１項に記載の電力供給制御装置と、
予め定めた地域に存在する複数の需要家それぞれに設けられ、各需要家の前記電力状況及び前記供給可能電力量を検出する電力情報検出手段と、前記取得手段の取得要求に応じて前記電力情報検出手段の検出結果を前記電力供給制御装置へ送信すると共に、前記制御手段による電力融通の制御に従って前記優先需要家への電力供給を制御する電力供給制御手段と、を備えた需要家制御装置と、
を備えた電力供給システム。
【発明の詳細な説明】
【技術分野】
【０００１】
本発明は、電力供給制御装置及び電力供給システムにかかり、特に、複数の電力需要家への電力供給を制御する電力供給制御装置及び電力供給システムに関する。
【背景技術】
【０００２】
特許文献１に記載の技術では、需要家群を構成している複数の需要家で共用される蓄電池を共用装置に付設して、需要家で供給電力が不足するようなイベントが発生したときに、予め定めた優先度に基づいて、蓄電された電力を振り分ける優先制御を行うことが提案されている。
【先行技術文献】
【特許文献】
【０００３】
【特許文献１】特開２０１１−２０５８７１号公報
【発明の概要】
【発明が解決しようとする課題】
【０００４】
特許文献１に記載の技術のように共用の蓄電池を設けて、優先度に応じて複数の需要家へ振り分けることにより、重要な需要家へ優先して停電などの際に電力を供給することができる。しかしながら、停電などが続いて共用の蓄電池の電力が低下した場合には、優先度の高い需要家でも十分な電力を得ることができなくなってしまう。
【０００５】
本発明は、上記事実を考慮して成されたもので、停電などが続いた場合でも優先度の高い需要家へ電力供給を継続することが可能な電力供給制御装置及び電力供給システムを提供することを目的とする。
【課題を解決するための手段】
【０００６】
上記目的を達成するために請求項１に記載の発明は、予め定めた地域に存在する複数の需要家それぞれにおける電力状況及び供給可能電力量を表す電力情報を取得する取得手段と、前記取得手段によって取得した前記電力情報における前記電力状況に基づいて、前記複数の需要家のうち予め定めた優先度の高い優先需要家への給電量または前記優先需要家に設けられた蓄電池の蓄電量の低下を検出する検出手段と、前記検出手段によって前記優先需要家への給電量または前記蓄電池の蓄電量の低下が検出された場合に、前記取得手段によって取得された前記電力情報における各需要家の供給可能電力量に応じて、電力を供給する需要家及び供給量を決定し、決定した需要家から前記優先需要家または前記蓄電池への電力融通を制御する制御手段と、を備えることを特徴としている。
【０００７】
請求項１に記載の発明によれば、取得手段では、予め定めた地域に存在する複数の需要家それぞれにおける電力状況及び供給可能電力量を表す電力情報が取得される。例えば、取得手段は、請求項２に記載の発明のように、各需要家が所有する蓄電池の蓄電量、各需要家が所有する発電装置の発電量、及び各需要家が所有する設備の消費電力量を含む電力状況、並びに当該電力状況に基づいて算出した供給可能電力を表す電力情報を取得する。
【０００８】
検出手段では、取得手段によって取得した電力情報における電力状況に基づいて、複数の需要家のうち予め定めた優先度の高い優先需要家への給電量または優先需要家に設けられた蓄電池の蓄電量の低下が検出される。
【０００９】
そして、制御手段では、検出手段によって優先需要家への給電量または蓄電池の蓄電量の低下が検出された場合に、取得手段によって取得された電力情報における各需要家の供給可能電力量に応じて、優先需要家へ電力を供給する需要家及び供給量を決定し、決定した需要家から優先需要家または蓄電池への電力融通が制御される。例えば、供給可能電力量が多いほど多くの電力を優先需要家または蓄電池へ融通するように各需要家に対して電力融通要求を行うことで電力融通を制御してもよいし、或いは、予め定めた供給可能電力量以上の需要家から優先需要家で不足する電力量を補うように各需要家に対して電力融通要求を行うことで電力融通を制御するようにしてもよい。
【００１０】
このように制御手段が制御することによって、優先需要家の電力を確保することができるので、優先需要家では停電が続いた場合でも電力供給を継続することが可能となる。
【００１１】
なお、各需要家が所有する蓄電池または発電装置は、請求項３に記載の発明のように、各需要家が所有する住宅または車両に設置されているものを適用するようにしてもよい。
【００１２】
また、本発明は、請求項４に記載の発明のように、車両と通信するための通信手段を更に備え、各需要家が所有する車両に需要家が所有する蓄電池が設置されているときには、制御手段が、優先需要家への給電量または蓄電池の蓄電量の低下が検出された場合に、通信手段を介して優先需要家への移動要求を車両へ行うように更に制御するようにしてもよい。これによって、優先需要家は車両に搭載された蓄電池から電力供給を受けることが可能となる。
【００１３】
この場合、制御手段は、請求項５に記載の発明のように、通信手段を介して車両の位置情報を取得し、取得した位置情報に基づいて車両と優先需要家または蓄電池との距離を求め、求めた距離が予め定めた距離以内の車両に対して移動要求を行うように制御するようにしてもよい。また、請求項６に記載の発明のように、制御手段は、優先需要家または蓄電池の位置情報を車両に表示するために、通信手段を介して位置情報を更に送信するようにしてもよい。
【００１４】
なお、上記における消費電力としては、請求項７に記載の発明のように、各需要家の全ての設備のうち、予め定めた停止不可設備の消費電力を適用するようにしてもよい。この場合の設備は、請求項８に記載の発明のように、食品を貯蔵する設備を適用し、貯蔵する食品量を検出する機能を備えて、検出した食品量が予め定めた量以上の場合に前記停止不可設備とされるようにしてもよい。
【００１５】
また、本発明は、請求項９に記載の発明のように、上記電力供給制御装置に加えて、予め定めた地域に存在する複数の需要家それぞれに設けられ、各需要家の前記電力状況及び前記供給可能電力量を検出する電力情報検出手段と、前記取得手段の取得要求に応じて前記電力情報検出手段の検出結果を前記電力供給制御装置へ送信すると共に、前記制御手段による電力融通の制御に従って前記優先需要家への電力供給を制御する電力供給制御手段と、を備えた需要家制御装置を備えた電力供給システムとしてもよい。
【発明の効果】
【００１６】
以上説明したように本発明によれば、予め定めた優先需要家の給電量または蓄電量の低下が検出された場合に、各需要家の供給可能電力量に応じて、電力を供給する需要家及び供給量を決定し、決定結果に従って地域内の各需要家から優先需要家または蓄電池へ電力を供給するように制御することにより、優先需要家の電力を確保することができるので、停電などが続いた場合でも優先度の高い需要家へ電力供給を継続することが可能な電力供給制御装置及び電力供給システムを提供することができる、という効果がある。
【図面の簡単な説明】
【００１７】
【図１】本発明の実施の形態に係わる電力供給システムの概略を示す模式図である。
【図２】本発明の実施の形態に係わる電力供給システムの概略構成を示すブロック図である。
【図３】サーバコンピュータ、優先需要家コンピュータ、及び需要家ＨＥＭＳの概略構成を示すブロック図である。
【図４】需要家及び優先需要家の電力供給系の構成例を示すブロック図である。
【図５】コントロールセンタに共用蓄電池を備えていない場合の電力の融通例を示す図である。
【図６】コントロールセンタに共用蓄電池を備えている場合の電力の融通例を示す図である。
【図７】本発明の実施の形態に係わる電力供給システムにおける優先需要家コンピュータ及び需要家ＨＥＭＳで行われる処理の一例を示すフローチャートである。
【図８】本発明の実施の形態に係わる電力供給システムにおけるサーバコンピュータで行われる処理の一例を示すフローチャートである。
【図９】車両を移動させて優先需要家へ電力を融通する場合のコントロールセンタのサーバコンピュータで行われる処理の流れの一例を示すフローチャートである。
【発明を実施するための形態】
【００１８】
以下、図面を参照して本発明の実施の形態の一例を詳細に説明する。図１は、本発明の実施の形態に係わる電力供給システムの概略を示す模式図である。
【００１９】
本発明の実施の形態に係わる電力供給システム１０は、複数の電力の需要家１６が存在する地域を複数の地区（図１では、Ａ地区〜Ｄ地区）に分けて電力供給を制御するコントロールセンタ１２を備えている。各地区には、電力供給の優先度が高い予め定めた優先需要家１４が含まれている。
【００２０】
各地区の需要家１６は、電気自動車（ＥＶ）やプラグインハイブリッド車（ＰＨＣ）などの車両５６に搭載された車両蓄電池を充電する充電装置を備えた需要家１６や、太陽光発電装置１７や燃料電池などの各種発電装置を備える需要家等の需要家１６などを含んでいる。
【００２１】
各地区は、各種発電装置の余剰電力や、走行に支障のない程度の車両蓄電池の電力、需要家１６に設けられた蓄電池に蓄電された電力などを優先需要家１４や電力が不足する需要家１６へ融通可能とされており、電力の流れ（供給源及び供給先）やその電力量をコントロールセンタ１２が制御する。なお、電力の融通は、本実施の形態では、電力会社の電力供給網を介して行うが、これに限るものではなく、例えば、専用の電力供給網を構築して電力の融通するようにしてもよい。また、電力会社以外への電力の融通は、供給先及び供給量を表す情報をコントロールセンタ１２が管理することにより実質的な電力のやり取りは電力会社に対して行い、電力の収支を管理することにより、電力融通を制御するようにしてもよいし、或いは、電力供給元から電力供給先へ直接電力を供給するようにしてもよい。
【００２２】
また、コントロールセンタ１２は優先需要家１４に対して電力を優先的に供給するように制御する。優先需要家１４は、例えば、コンビニエンスストア等の商業施設を設定し、蓄電池を設けて停電などの場合に各地区の電力供給の核として機能させるようになっている。
【００２３】
図２は、本発明の実施の形態に係わる電力供給システム１０の概略構成を示すブロック図である。  
【００２４】
コントロールセンタ１２には、サーバコンピュータ１８が設けられ、優先需要家１４にはＨＥＭＳ（Home Energy Management System）などの機能等を有する優先需要家コンピュータ２０が設けられている。また、各需要家１６には、需要家ＨＥＭＳ２２が設けられている。そして、それぞれがネットワーク２４を介して接続されており、サーバコンピュータ１８が優先需要家コンピュータ２０や需要家ＨＥＭＳ２２等と通信を行うことにより、電力の状況を監視して、電力の融通を制御する。
【００２５】
図３は、サーバコンピュータ１８、優先需要家コンピュータ２０、及び需要家ＨＥＭＳ２２の概略構成を示すブロック図である。なお、サーバコンピュータ１８、優先需要家コンピュータ２０、及び需要家ＨＥＭＳ２２は、基本的なコンピュータ構成を有するので、まとめて説明する。また、図３中の点線は、サーバコンピュータ１８、優先需要家コンピュータ２０または需要家ＨＥＭＳ２２に接続可能とされるものを示し、全てが接続されていない場合もある部分を示す。
【００２６】
サーバコンピュータ１８、優先需要家コンピュータ２０、及び需要家ＨＥＭＳ２２は、ＣＰＵ３０、ＲＯＭ３２、ＲＡＭ３４、及び入出力ポート３６がバス３８に接続された一般的なコンピュータの構成とされており、ＣＰＵ３０は、ＲＯＭ３２に予め記憶された各種プログラムをＲＡＭ３４に読み出して展開して実行することにより、電力供給に関する制御を行う。なお、ＲＯＭ３２には、サーバコンピュータ１８、需要家コンピュータ２０、及び需要家ＨＥＭＳ２２のそれぞれ用のプログラムが記憶されている。
【００２７】
入出力ポート３６には、表示部４０、操作部４２、およびメモリ４４等が接続されていると共に、ネットワーク２４が接続されている。ネットワーク２４には、コントロールセンタ１２のサーバコンピュータ１８、優先需要家コンピュータ２０、及び各需要家１６の需要家ＨＥＭＳ２２が接続されて、それぞれ情報の授受が可能とされている。これによって、サーバコンピュータ１８は、各需要家コンピュータ２０から各需要家の電力の状況を表す電力情報を取得して、取得した電力情報に基づいて地域の電力融通を制御することができる。
【００２８】
また、入出力ポート３６には、充放電制御装置４６や給湯器５０が接続され、ＣＰＵ３０によって充放電制御装置４６や給湯器５０が制御される。
【００２９】
充放電制御装置４６には、分電盤４８が接続されていると共に、需要家１６に設けられる蓄電池５２、優先需要家１４またはコントロールセンタ１２に設けられる共用蓄電池５４、車両５６、及び各種発電装置５８が接続可能とされている。
【００３０】
図４は、需要家１６及び優先需要家１４の電力供給系の構成例を示すブロック図である。なお、図４中の実線は電力線を示し、点線は情報線を示す。
【００３１】
分電盤４８には、図４に示すように、充放電制御装置４６、家電・設備６０、停止不可設備６２、及び系統電源６４が接続されている。すなわち、系統電源６４から得られる電力が分電盤４８を介して家電・設備６０や、停止不可設備６２、充放電制御装置４６へ供給可能とされている。
【００３２】
充放電制御装置４６には、蓄電池５２または優先需要家１４の共用蓄電池５４、車両（車両蓄電池）５６、各種発電装置５８が接続されており、発電や蓄電の制御が行われる。
【００３３】
蓄電池５２又は共用蓄電池５４は、需要家１６や優先需要家１４が所有し、充電する際には系統電源６４の深夜電力や、外部からの融通電力が分電盤４８及び充放電制御装置４６を介して供給、或いは各種発電装置５８の発電電力が供給されることによって充電され、使用する際には充放電制御装置４６及び分電盤４８を介して分電盤４８に接続される他の機器や充放電制御装置４６に接続される蓄電池へ供給される。また、電力を優先需要家１４や他の需要家１６へ電力を融通する際には、本実施の形態では、分電盤４８から系統電源６４の電力網を介して供給される。なお、共用蓄電池５４は、優先需要家１４に設けるようにしてもよいし、コントロールセンタ１２に設けるようしてもよいし、双方に設けるようにしてもよい。
【００３４】
各種発電装置５８は、例えば、太陽光発電装置、燃料電池、風力発電装置、及び水力発電装置等の発電装置や、自動車の発電機を含み、発電した電力が分電盤４８に接続される他の機器や充放電制御装置４６に接続される蓄電池等へ供給される。
【００３５】
充放電制御装置４６に接続される車両５６としては、走行に使用する電力を蓄電する車両蓄電池を備えたＰＨＶ（Plug-in Hybrid Vehicle）やＥＶ（Electric Vehicle）等の車両を適用することができる。車両５６に搭載される車両蓄電池は、蓄電池５２または共用蓄電池５４と同様に、充電する際には系統電源６４の深夜電力や、外部からの融通電力を供給、或いは各種発電装置５８の発電電力を供給することによって充電される。また、停電等の際には、蓄電した電力を分電盤４８に接続される機器や、充放電制御装置４６に接続される蓄電池、或いは優先需要家１４や他の需要家１６等に供給可能とされている。
【００３６】
家電・設備６０は、系統電源６４や、蓄電池５２または共用蓄電池５４、車両５６の車両蓄電池等から分電盤４８を介して電力が供給される。
【００３７】
また、停止不可設備６２は、家電・設備６０の中で電力供給の停止が好ましくない家電・設備を停止不可設備６２として予め設定し、例えば、冷蔵庫などの食品を貯蔵する設備を適用することができる。なお、冷蔵庫などの食品貯蔵設備は、貯蔵される食品の量に応じて家電・設備６０または停止不可設備６２に切り替わるようにしてもよい。例えば、冷蔵庫等の食品貯蔵設備にカメラや重量センサ等のセンサを備えて、センサの検出結果に基づいて食品量を判断し、食品の貯蔵量が予め定めた量以上の場合に家電・設備６０から停止不可設備６２に切り替わるように制御してもよい。
【００３８】
そして、分電盤４８は、充放電制御装置４６と通信可能に接続されていると共に、分電盤４８に接続される機器（家電・設備６０、停止不可設備６２、充放電制御装置４６等）の消費電力を検出する機能を備えており、消費電力の検出結果等を充放電制御装置４６へ出力するようになっている。
【００３９】
続いて、上述のように構成された本発明の実施の形態に係わる電力供給システム１０で行われる具体的な電力供給例について説明する。
【００４０】
まず、各需要家１６の需要家ＨＥＭＳ２２や優先需要家１４の優先需要家コンピュータ２０では、それぞれの需要家における消費電力、発電電力、及び蓄電電力を検出する。例えば、消費電力の検出は、分電盤４８から家電・設備６０、停止不可設備６２、及び充放電制御装置４６へ供給された電力を分電盤４８が検出し、発電電力の検出は、各種発電装置５８の発電電力を充放電制御装置４６が検出し、蓄電池５２または供給蓄電池５２や車両５６に搭載された車両蓄電池の蓄電量を充放電制御装置４６が検出する。なお、蓄電電力としては、車両蓄電池を搭載した車両５６が接続されている場合には、当該車両蓄電池も含めた蓄電電力を検出する。  
【００４１】
また、各需要家１６の需要家ＨＥＭＳ２２や優先需要家１４の優先需要家コンピュータ２０は、検出した消費電力、発電電力、及び蓄電電力を充放電制御装置４６から取得して、取得したこれらの情報に基づいて供給可能電力量を算出する。供給可能電力量の算出は、例えば、発電電力と蓄電電力の合計値から消費電力を差分して余剰電力を算出する。そして、検出した各電力量及び算出した供給可能電力量を電力情報としてコントロールセンタ１２のサーバコンピュータ１８へネットワーク２４を介して送信する。
【００４２】
サーバコンピュータ１８では、優先需要家１４の優先需要家コンピュータ２０から送信される電力情報に基づいて、優先需要家１４への給電量が低下または優先需要家１４の蓄電量が低下しているか否かを検出する。
【００４３】
そして、サーバコンピュータ１８は、優先需要家１４の給電量が低下している（電力不足になると考えられる）場合には、各需要家１６から送信される供給可能電力量に基づいて、優先需要家１４へ電力を融通する需要家１６を決定すると共に、その給電量を決定して、優先需要家１４の優先需要家コンピュータ２０や各需要家１６の需要家ＨＥＭＳ２２を制御する。
【００４４】
例えば、サーバコンピュータ１８は、コントロールセンタ１２に共用蓄電池５４を備えていない場合には、決定した電力の融通元の需要家１６及び融通する電力量に基づいて、図５に示すように、決定した電力の融通元の需要家１６から優先需要家１４へ電力を融通するように制御し、コントロールセンタ１２に共用蓄電池５４を備えている場合には、決定した電力の融通元の需要家１６及び融通する電力量に基づいて、図６に示すように、共用蓄電池５４を充電して、共用蓄電池５４から優先需要家１４へ電力を融通するように制御する。これによって停電などが続いた場合でも優先度の高い優先需要家１４へ電力供給を継続することができる。
【００４５】
なお、優先需要家１４は、需要家１６から電力の供給を受けた場合には、コントロールセンタ１２のサーバコンピュータ１８から電力供給元の需要家１６の情報を受信して、対価としてポイントや商品券等を需要家１６へ発行して還元するようにしてもよい。
【００４６】
次に本発明の実施の形態に係わる電力供給システムにおける優先需要家コンピュータ２０、需要家ＨＥＭＳ２２、及びサーバコンピュータ１８に記憶されたそれぞれのプログラムを実行することにより行われる具体的な処理の一例について説明する。
【００４７】
まず、本発明の実施の形態に係わる電力供給システム１０における優先需要家コンピュータ２０及び需要家ＨＥＭＳ２２で行われる処理の一例について説明する、図７は、本発明の実施の形態に係わる電力供給システム１０における優先需要家コンピュータ２０及び需要家ＨＥＭＳ２２で行われる処理の一例を示すフローチャートである。なお、図７の処理は、予め定めた時間間隔で行われる。
【００４８】
まず、ステップ１００では、消費電力量が検出されてステップ１０２へ移行する。すなわち、分電盤４８で検出された家電・設備６０、停止不可設備６２、及び充放電制御装置４６への電力の供給量の検出結果を充放電制御装置４６からＣＰＵ３０が取得することによって消費電力量の検出を行う。なお、消費電力量としては、需要家１６の分電盤４８に接続される全ての機器の消費電力量としてもよいが、予め設定された停止不可設備６２の消費電力のみを検出するようにしてもよい。
【００４９】
ステップ１０２では、蓄電池５２があるか否か判定される。該判定は、充放電制御装置４６に蓄電池５２が接続されているか否かを検出することによって行われる。具体的には、充放電制御装置４６が蓄電池５２の接続を検出する機能を有して、充放電制御装置４６が蓄電池５２の接続を検出してその検出結果をＣＰＵ３０が取得することによって判定される。該判定が肯定された場合にはステップ１０４へ移行し、否定された場合にはステップ１０６へ移行する。
【００５０】
ステップ１０４では、蓄電池５２の蓄電量が検出されてステップ１０６へ移行する。蓄電池５２の蓄電量の検出は、充放電制御装置４６が蓄電量を検出し、検出結果をＣＰＵ３０が取得することによって行われる。
【００５１】
ステップ１０６では、車両蓄電池があるか否か判定される。該判定もステップ１０２と同様に、充放電制御装置４６に車両蓄電池（車両５６）が接続されているか否かを検出することによって行われ、該判定が肯定された場合にはステップ１０８へ移行し、否定された場合にはステップ１１０へ移行する。
【００５２】
ステップ１０８では、車両蓄電池の蓄電量が検出されてステップ１１０へ移行する。車両蓄電池の蓄電量の検出も、ステップ１０４と同様に、充放電制御装置４６によって検出された蓄電量の検出結果をＣＰＵ３０が取得することによって行われる。
【００５３】
ステップ１１０では、各種発電装置５８があるか否か判定される。該判定は、充放電制御装置４６に各種発電装置５８が接続されているか否かを検出することによって行われる。具体的には、充放電制御装置４６が各種発電装置５８の接続を検出する機能を有して、充放電制御装置４６が各種発電装置５８の接続を検出してその結果をＣＰＵ３０が取得することによって判定される。該判定が肯定された場合にはステップ１１２へ移行し、否定された場合にはステップ１１４へ移行する。
【００５４】
ステップ１１２では、各種発電装置５８の発電量が検出されてステップ１１４へ移行する。各種発電装置５８の発電量の検出は、充放電制御装置４６によって検出された発電量の検出結果をＣＰＵ３０が取得することによって行われる。
【００５５】
ステップ１１４では、供給可能電力量が算出されてステップ１１６へ移行する。供給可能電力量の算出は、上記各ステップで検出した、消費電力、蓄電量、及び発電量に基づいて余剰電力を供給可能電力量として算出する。すなわち、発電力及び蓄電量の合計値から消費電力量を差し引いた値を供給可能電力量として求める。このとき、算出した値が負の場合には余剰電力がないので他への供給が不可となる。
【００５６】
ステップ１１６では、各検出結果及び算出した供給可能電力量を表す電力情報がコントロールセンタ１２のサーバコンピュータ１８へネットワーク２４を介して送信されて一連の処理を終了する。
【００５７】
続いて、コントロールセンタ１２のサーバコンピュータ１８で行われる処理の一例について説明する。図８は、本発明の実施の形態に係わる電力供給システム１０におけるサーバコンピュータ１８で行われる処理の一例を示すフローチャートである。
【００５８】
ステップ２００では、各需要家や優先需要家から送信される電力情報を受信したか否か判定される。該判定は、需要家１６の需要家ＨＥＭＳ２２や優先需要家１４の優先需要家コンピュータ２０から上述のステップ１１６で送信された電力情報を受信したか否か判定され、該判定が肯定されるまで待機してステップ２０２へ移行する。
【００５９】
ステップ２０２では、各需要家１６から受信した電力情報に基づいて、優先需要家１４が電力不足か否か判定され、該判定が肯定された場合にはステップ２０４へ移行し、否定された場合には一連の処理を終了する。なお、複数の地区の優先需要家１４が電力不足の場合には、各地区毎に以下の処理を行って電力の供給を制御する。
【００６０】
ステップ２０４では、優先需要家１４が存在する地区内に余剰電力があるか否か判定される。該判定は、各需要家１６から送信される供給可能電力量に基づいて判定し、該判定が肯定された場合にはステップ２０６へ移行し、否定された場合にはステップ２１２へ移行する。
【００６１】
ステップ２０６では、各需要家１６の供給可能電力量に応じて電力融通元の需要家１６及び給電量が決定されてステップ２０８へ移行する。例えば、供給可能電力量が多いほど多くの電力を優先需要家１４へ供給するように、電力融通元の需要家１６及び給電量を決定する。或いは、予め定めた供給可能電力量以上の需要家１６から優先需要家１４で不足する電力量を補うように、電力融通元の需要家１６及び給電量を決定するようにしてもよい。
【００６２】
ステップ２０８では、決定した供給源の需要家１６の需要家ＨＥＭＳ２２に対して電力供給指示が行われてステップ２１０へ移行する。これによって、需要家１６の余剰電力が優先需要家１４へ融通されるように制御される。
【００６３】
ステップ２１０では、優先需要家１４がまだ電力不足であるか否か判定される。該判定は、各需要家１６から取得した供給可能電力量を全て優先需要家１４へ融通しても、電力が不足するか否かを判定し、該判定が肯定された場合にはステップ２１２へ移行し、否定された場合には一連の処理を終了する。
【００６４】
ステップ２１２では、他地区に余剰電力があるか否か判定される。該判定は他の地区の各需要家１６から送信される供給可能電力量に基づいて判定され、該判定が肯定された場合にはステップ２１４へ移行し、否定された場合には一連の処理を終了する。なお、他地区の優先需要家１４の電力が不足している場合には他地区内で電力融通しても余剰電力があるか否かを判定する。
【００６５】
ステップ２１４では、他地域の供給可能電力量に応じて電力融通元の需要家１６及び給電量が決定されてステップ２１６へ移行する。例えば、他地域の各需要家１６の供給可能電力量が多いほど多くの電力を優先需要家１４へ供給するように、電力の供給源及び供給電力量を決定する。或いは、予め定めた供給可能電力量以上の他地域の需要家１６から優先需要家１４で不足する電力量を補うように、電力融通元の需要家１６及び給電量を決定するようにしてもよい。
【００６６】
ステップ２１６では、決定した電力融通元となる他地域の需要家１６の需要家ＨＥＭＳ２２に対して電力供給指示が行われて一連の処理を終了する。これによって、他地域の需要家１６の余剰電力が優先需要家１４へ融通されるように制御される。
【００６７】
このように処理を行うことによって、停電などが続いた場合でも余剰電力を有する需要家１６から優先需要家１４へ電力を供給することができるので、優先度の高い優先需要家１４へ電力供給を継続することが可能となる。
【００６８】
ところで、上記の処理では、優先需要家１４の電力が不足した場合に、需要家１６の余剰電力（発電電力や蓄電電力）を融通するようにしたが、電力の融通方法としてはこれに限るものでない。例えば、上記の処理に加えて或いは上記の処理に代えて、車両５６の移動を促して車両蓄電池の電力を優先需要家１４へ供給するようにしてもよい。
【００６９】
例えば、コントロールセンタ１２のサーバコンピュータ１８がと登録車両の位置情報を検出して、電力不足となる優先需要家１４の近くの車両５６を優先需要家１４へ移動するように促すようにしてもよい。この場合には、車両５６が無線通信等を用いてネットワーク２４に接続可能な構成を有する。
【００７０】
以下に車両５６を移動させて優先需要家１４へ電力を融通する場合のコントロールセンタ１２のサーバコンピュータ１８で行われる処理の一例を説明する。図９は、車両５６を移動させて優先需要家１４へ電力を融通する場合のコントロールセンタ１２のサーバコンピュータ１８で行われる処理の流れの一例を示すフローチャートである。
【００７１】
ステップ３００では、登録車両の位置情報が取得されてステップ３０２へ移行する。例えば、予め登録した車両５６と無線通信可能として、車両５６に搭載されたＧＰＳ（Global Positioning Systems）の情報をサーバコンピュータ１８がネットワーク２４等を経由して取得する。
【００７２】
ステップ３０２では、電力不足の優先需要家１４の所定距離内に登録車両があるか否か判定される。該判定は、車両５６から電力不足の優先需要家１４または優先需要家１４の共用蓄電池５４の設置場所との距離が予め定めた距離以内にある車両５６が存在するか否かを判定し、該判定が肯定された場合にはステップ３０４へ移行し、否定された場合には当該処理を終了する。
【００７３】
ステップ３０４では、登録車両（又は登録車両を所有する需要家１６の位置に登録車両が位置する場合には当該登録車両を所有する需要家ＨＥＭＳ２２）に対して電力不足の優先需要家１４または優先需要家１４に設置された共用蓄電池５４の位置情報を送信して車両５６の移動要求が行われて当該処理を終了する。例えば、車両５６が当該情報を受信してナビゲーション装置に目的地設定等を行うようにすることで、電力不足の優先需要家１４へのナビゲーションを行うことにより、車両蓄電池の優先需要家１４への融通を要求することができる。或いは、登録車両を所有する需要家ＨＥＭＳ２２に対して移動先の優先需要家１４の位置を表示すると共に、車両蓄電池の蓄電電力の融通要求を行うことにより、車両５６の移動を促して、車両蓄電池による電力融通を要求する。
【００７４】
このようにコントロールセンタ１２のサーバコンピュータ１８で処理を行うことにより、車両５６を利用して優先需要家１４や優先需要家１４の共用蓄電池５４へ電力を融通することが可能となる。
【００７５】
なお、上記の実施の形態では、コントロールセンタ１２を専用に設けるようにしたが、これに限るものではなく、例えば、各地区の優先需要家１４のうち予め定めた優先需要家１４の優先需要家コンピュータ２０をコントロールセンタ１２のサーバコンピュータ１８として機能させる構成としてもよいし、或いは、複数の需要家１６のうち予め定めた需要家１６の需要家ＨＥＭＳ２２をコントロールセンタ１２のサーバコンピュータ１８として機能させる構成としてもよい。
【符号の説明】
【００７６】
１０    電力供給システム
１２    コントロールセンタ
１４    需要家
１６    優先需要家
１７    太陽光発電装置
１８    サーバコンピュータ
２０    優先需要家コンピュータ
２２    需要家ＨＥＭＳ
２４    ネットワーク
４６    充放電制御装置
４８    分電盤
５２    蓄電池
５４    共用蓄電池
５６    車両
５８    各種発電装置
６０    家電・設備
６２    停止不可設備
６４    系統電源
【図１】
2014023377.tif 000003
【図２】
2014023377.tif 000004
【図３】
2014023377.tif 000005
【図４】
2014023377.tif 000006
【図５】
2014023377.tif 000007
【図６】
2014023377.tif 000008
【図７】
2014023377.tif 000009
【図８】
2014023377.tif 000010
【図９】
2014023377.tif 000011